(57)【特許請求の範囲】
【請求項１】
アミノ変性シリコーン、アミド・ポリエーテル変性シリコーン、ポリエーテル変性シリコーン及びジメチルシロキサン鎖の中に有機基が導入されており末端がメチル基以外の有機基になっているオルガノポリシロキサンオイルから選ばれる１種以上のシリコーン化合物０．０１〜５重量％、界面活性剤０．００５〜５重量％を含有し、１０１３．２５ｈＰａにおける沸点が９０℃以下である有機溶剤の量が１０重量％以下である水性組成物を繊維製品に噴霧した後、該繊維製品を回転槽内で加熱乾燥する繊維製品の処理方法。
【請求項２】
水性組成物が下記香料を０．０１〜５質量％含有する請求項１記載の繊維製品の処理方法。
＜香料＞
（ｉ）炭素数１０〜１５のテルペン系アルコール又は炭素数７〜１５の芳香族アルコールの中から選ばれる香料、並びに（ii）炭素数８〜１７のギ酸エステル又は酢酸エステル、炭素数１０〜１５の炭化水素及び炭素数７〜１５の芳香族アルデヒドの群から選ばれる少なくとも１種の香料成分を含有する香料であって、該香料中に（ｉ）の香料成分を１０〜８０質量％、（ii）の香料成分を１〜５０質量％含有する香料
【請求項３】
前記（ｉ）の香料成分が、ゲラニオール、シトロネオール、ジヒドロミルセノール、ターピネオール、フェニルエチルアルコール、ベンジルアルコール、ムゴール、１−メントール、及びリナロールから選ばれる香料成分であり、且つ前記（ii）の香料成分が、ギ酸ゲラニル、ギ酸ベンジル、ギ酸フェニルエチル、酢酸シトロネリル、酢酸ゲラニル、酢酸リナリル、酢酸ボルニル、酢酸テルペニル、酢酸ベンジル、酢酸セドリル、酢酸−ｐ−ｔｅｒｔ−ブチルシクロヘキシル、酢酸−ｏ−ｔｅｒｔ−ブチルシクロヘキシル、α−ピネン、β−ピネン、リモネン、テルピノーレン、ベンズアルデヒド、フェニルアセトアルデヒド、シンナミックアルデヒド、α−ヘキシルシンナミックアルデヒド、シクラメンアルデヒド、及びリリーアルデヒドから選ばれる香料成分である、請求項２記載の繊維製品の処理方法。
【請求項４】
水性組成物が殺菌剤を含有する請求項１〜３の何れか１項記載の繊維製品の処理方法。
【請求項５】
水性組成物を噴霧する前の繊維製品が実質的に乾燥状態にある請求項１〜４いずれか一項記載の繊維製品の処理方法。
【請求項６】
ノンガスタイプの噴霧装置により水性組成物の噴霧を行う請求項１〜５いずれか一項記載の繊維製品の処理方法。
【請求項７】
水性組成物を噴霧した繊維製品を、可撓性を有し実質的に通気性を有する容器に収容して加熱乾燥する請求項１〜６いずれか一項記載の繊維製品の処理方法。
【請求項８】
アミノ変性シリコーン、アミド・ポリエーテル変性シリコーン、ポリエーテル変性シリコーン及びジメチルシロキサン鎖の中に有機基が導入されており末端がメチル基以外の有機基になっているオルガノポリシロキサンオイルから選ばれる１種以上のシリコーン化合物０．０１〜５重量％、界面活性剤０．００５〜５重量％、１０１３．２５ｈＰａにおける沸点が９０℃以下の有機溶剤０〜５重量％及び水８５〜９９．９重量％を含有する、回転式乾燥機を用いて繊維製品を処理するための水性組成物。
【請求項９】
界面活性剤が２級アルキル基を分子構造内に有する非イオン界面活性剤である請求項８記載の水性組成物。
【請求項１０】
下記香料を０．０１〜５質量％含有する請求項７又は８記載の水性組成物。
＜香料＞
（ｉ）炭素数１０〜１５のテルペン系アルコール又は炭素数７〜１５の芳香族アルコールの中から選ばれる香料、並びに（ii）炭素数８〜１７のギ酸エステル又は酢酸エステル、炭素数１０〜１５の炭化水素及び炭素数７〜１５の芳香族アルデヒドの群から選ばれる少なくとも１種の香料成分を含有する香料であって、該香料中に（ｉ）の香料成分を１０〜８０質量％、（ii）の香料成分を１〜５０質量％含有する香料
【請求項１１】
前記（ｉ）の香料成分が、ゲラニオール、シトロネオール、ジヒドロミルセノール、ターピネオール、フェニルエチルアルコール、ベンジルアルコール、ムゴール、１−メントール、及びリナロールから選ばれる香料成分であり、且つ前記（ii）の香料成分が、ギ酸ゲラニル、ギ酸ベンジル、ギ酸フェニルエチル、酢酸シトロネリル、酢酸ゲラニル、酢酸リナリル、酢酸ボルニル、酢酸テルペニル、酢酸ベンジル、酢酸セドリル、酢酸−ｐ−ｔｅｒｔ−ブチルシクロヘキシル、酢酸−ｏ−ｔｅｒｔ−ブチルシクロヘキシル、α−ピネン、β−ピネン、リモネン、テルピノーレン、ベンズアルデヒド、フェニルアセトアルデヒド、シンナミックアルデヒド、α−ヘキシルシンナミックアルデヒド、シクラメンアルデヒド、及びリリーアルデヒドから選ばれる香料成分である、請求項１０記載の水性組成物。
【請求項１２】
殺菌剤を含有する請求項８〜１１の何れか１項記載の水性組成物。
【請求項１３】
請求項８〜１２の何れか１項記載の水性組成物を噴霧装置付き容器に充填した物品と、繊維製品を収容するための可撓性を有し実質的に通気性を有する容器とからなる、回転式乾燥機を用いて繊維製品を処理するために用いられるキット。
【請求項１４】
請求項８〜１２の何れか１項記載の水性組成物をトリガー式スプレイヤーに充填してなる、回転式乾燥機を用いて繊維製品を処理するために用いられる、繊維製品処理用物品。
【発明の詳細な説明】
【０００１】
【発明の属する技術分野】
本発明は、繊維製品の風合いを回復させ、特にはしわの除去や匂いの除去を目的とする繊維製品の処理方法に関し、特に衣類の処理方法、そのための水性組成物及びそのためのキットに関する。なお、本発明において風合いの回復とは、長期使用や着用により低下した繊維製品、特に衣類のふっくら感を向上させることで使用感ないし着心地を改善することを示す。
【０００２】
【従来の技術及び発明が解決しようとする課題】
一般にスーツなどのドライクリーニング衣類は家庭での水洗いが困難であり、それらのしわ取り方法については、一般にアイロンがけやスチームプレスを用いる方法がある。それらを用いずに衣類のしわを伸ばす手段として、特開平１０−２５６６０号にヘキシレングリコールやイソプレングリコールなどの特定の水溶性溶剤と水を組み合わせた組成物を衣類の皺部にスプレーした後、放置するだけでしわ部を取り除く方法が開示されている。しかし、この方法では衣類についた軽いしわは取り除けるが、深いしわを完全に除去するのは困難である。また、特表平１０−５０８９１１号、ＷＯ９９／５５９５２号、ＷＯ９９／５５９５３号、特開平１−６１７４号には、布帛のしわ取り剤組成物および方法が示されているが、これらは組成物をスプレー噴霧した後で吊り下げて自然乾燥するか、アイロン掛けを行うことでしわをとるものである。アイロン掛けはしわ取りには非常に効果的であるが、手間がかかる作業である上、風合い回復の上では不十分である。
【０００３】
また、特開平３−１３０４７３号、特表平７−５０９６２９号には、プラスチックバッグなどの密閉性の高い容器に基体物品や基剤シートと共に入れ家庭用乾燥機で処理する方法が開示されているが、日本の家庭用乾燥機のように熱量が欧米のものに比べて小さく、十分な加熱乾燥がされにくい条件では、スーツなどのドライマーク衣類についたしわが完全にはとれないことがあるという欠点があった。
【０００４】
本発明の課題は、日本の回転式家庭用乾燥機のような比較的熱量の小さい乾燥機でも繊維製品、特に着用後の衣類についたしわ取りと、風合いの回復を家庭で容易に行うことができる繊維製品の処理方法を提供することにある。
【０００５】
【課題を解決するための手段】
本発明は、シリコーン化合物、界面活性剤、有機溶剤、香料及び殺菌剤から選ばれる一種以上を含有する水性組成物を繊維製品に噴霧した後、該繊維製品を回転槽内で加熱乾燥する繊維製品の処理方法に関する。
【０００６】
また、本発明は、シリコーン化合物０．０１〜５重量％、界面活性剤０〜５重量％、１０１３．２５ｈＰａにおける沸点が９０℃以下の有機溶剤０〜５重量％及び水８５〜９９．９重量％を含有する、回転式乾燥機を用いた繊維製品を処理するための水性組成物に関する。
【０００７】
更に本発明は、上記本発明の水性組成物を噴霧装置付き容器に充填した物品と、繊維製品を収容するための可撓性を有し実質的に通気性を有する容器とからなる、回転式乾燥機を用いて繊維製品を処理するためのキットに関する。
【０００８】
【発明の実施の形態】
本発明は、使用により、特に衣類に関しては着用や保管により、低下した繊維製品の風合いを回復させ、更には繊維製品のしわや匂いを取るための繊維製品の処理方法に関する。
【０００９】
本発明の繊維製品の処理方法は、シリコーン化合物、界面活性剤、香料、有機溶剤、殺菌剤から選ばれる一種以上を配合した水性組成物を繊維製品に噴霧し、回転槽内で乾燥させるものである。水性組成物は、シリコーン化合物、界面活性剤、有機溶剤、香料及び殺菌剤から選ばれる一種以上を、０．０１〜１５重量％、更には０．０１〜５重量％含有することが好ましい。
【００１０】
まず、水性組成物について詳述する。本発明に使用される水性組成物に含有されるシリコーン化合物とは、オルガノポリシロキサンオイルであり、特に繊維の潤滑剤として用いることができるものが好ましい。具体的には、ジメチルポリシロキサンオイル（以下、ジメチルシリコーンとする）又はジメチルシリコーンオイルの側鎖もしくは末端のメチル基の一部がヒドロキシ基になっているオルガノポリシロキサンオイル（以下、ヒドロキシシリコーンとする）、前記ジメチルシリコーン又はヒドロキシシリコーンのメチル基（好ましくは側鎖のメチル基）の一部が“メチル基以外の有機基”になっているオルガノポリシロキサンオイル（以下、変性シリコーンとする）の他に、ジメチルシロキサン鎖の中に有機基が導入されており末端がメチル基以外の有機基になっているオルガノポリシロキサンオイル（以下、末端変性シリコーンとする）が挙げられる。変性シリコーン及び末端変性シリコーンは「シリコーンハンドブック」（伊藤邦雄編集、日刊工業新聞社発行、１９９０年８月３１日、初版１刷）の第６章を中心に例示されている。変性シリコーンの称するメチル基以外の有機基としては、アミノ基を含む有機基、４級アンモニウム基を含む有機基、アミド基を含む有機基、ポリエーテル基を含む有機基、エポキシ基を含む有機基、カルボキシ基を含む有機基、アルキル基を含む有機基又はハロゲノアルキル基、ハロゲノアルキレン基もしくはハロゲノアリール基を含む有機基の他に、ポリ（Ｎ−アシルアルキレンイミン）鎖を含む有機基が挙げられる。
【００１１】
なお、本発明において、水溶性の有機基を有する変性シリコーンを用いる場合は、変性率は２０℃でのイオン交換水１Ｌ当たりの溶解性が１ｇを越えないものが好ましい。
【００１２】
これらの中でもアミノ変性シリコーン、アミド・ポリエーテル変性シリコーン、ポリエーテル変性シリコーンの他にＳＩＬＳＯＦＴタイプ（日本ユニカー（株）製）などの末端変性シリコーンから選ばれる１種以上が、風合い回復に加えて、繊維製品のしわ除去効果の点から好ましい。中でも特にアミド・ポリエーテル変性シリコーン、ポリオキシアルキレン変性シリコーン及びＳＩＬＳＯＦＴタイプ（日本ユニカー（株）製）などの末端変性シリコーンが、しわ除去効果の点から好ましい。
【００１３】
アミド・ポリエーテル変性シリコーンとして、下記一般式（１）で表わされるものが好ましい。
【００１４】
【化１】
0004514983.tif 000002
【００１５】
〔式中、Ｒ、Ｒ’は炭素数１〜６のアルキレン基、Ｒ''は炭素数６〜１６のアルキル基であり、２＜ｌ＜１０、５＜ｍ＜１５、０＜ｎ＜１、ｘ／ｚ＝１／１〜５０／１（モル比）、ｙ／ｚ＝１／２〜１０／１（モル比）である。〕。
【００１６】
また、一般式（１）の化合物は、アミド結合が分解して、アミン部（２）とポリオキシエチレンアルキルエーテルカルボン酸（３）との塩型で存在することもある。
【００１７】
【化２】
0004514983.tif 000003
【００１８】
〔式中の記号は前記と同じである。〕
より好ましい構造は、以下の（４）式で表される。
【００１９】
【化３】
0004514983.tif 000004
【００２０】
〔式中、Ｒ''は炭素数８〜１４のアルキル基であり、３＜ｌ＜７、７＜ｍ＜１２、０＜ｎ＜０．５、ｘ／ｚ＝１０／１〜３０／１（モル比）、ｙ／ｚ＝１／１〜５／１（モル比）である。〕。
【００２１】
本発明の末端変性シリコーンとして、アルキル（炭素数が１〜３）シロキサンとポリオキシアルキレン（アルキレン基の炭素数が２〜４が好ましい）の共重合体であるポリエーテル末端変性シリコーンがあげられる。このうち、ジメチルシロキサンとポリオキシアルキレン（ポリオキシエチレン、ポリオキシプロピレン、エチレンオキシドとプロピレンオキシドとのランダムあるいはブロック共重合体など）の共重合体が好ましく、特に下記一般式（５）で表わされるものが好ましい。
【００２２】
【化４】
0004514983.tif 000005
【００２３】
〔式中、ｍ、ｎ、ａ及びｂは平均重合度であり、Ｒ51は炭素数１〜１０のアルキレン基を示し、Ｒ52は炭素数１〜２２のアルキル基を示すが、これらの値は親水性となるように選ばれる。〕。
【００２４】
また末端変性シリコーンとして、下記一般式（６）で表わされる末端変性シリコーンも好ましい。
【００２５】
【化５】
0004514983.tif 000006
【００２６】
〔式中、ｘ、ｎ、ａ及びｂは平均重合度であり、Ｒ61、Ｒ62はそれぞれ炭素数１〜１０のアルキレン基を示す。〕。
【００２７】
本発明において、最も好ましいシリコーン化合物は一般式（５）で表わされるポリエーテル変性シリコーンである。
【００２８】
シリコーン化合物は水性組成物中に、０．０１〜５重量％、好ましくは０．０２〜３重量％、さらに好ましくは０．０５〜２重量％配合される。
【００２９】
また、本発明には繊維への浸透性、シリコーン化合物、香料、抗菌剤等の分散安定性などの配合安定性の面から界面活性剤を配合することが好ましい。界面活性剤としてはアルキルベンゼンスルホン酸又はその塩、アルキル硫酸エステル塩、ポリオキシアルキレンアルキルエーテル硫酸エステル塩、オレフインスルホン酸塩、アルカンスルホン酸塩、脂防酸塩等の陰イオン界面活性剤、ポリオキシアルキレンアルキル又はアルケニルエーテル、ポリオキシアルキレンアルキルフェニルエーテル、脂肪酸アルカノールアミド又はそのアルキレンオキシド付加物、ショ糖脂肪酸エステル、アルキルグルコシド等の非イオン界面活性剤、アミンオキシド、スルホベタイン、カルボベタイン等の両性界面活性剤、モノ長鎖アルキル４級アンモニウム塩、ジ長鎖アルキル４級アンモニウム塩、トリ長鎖アルキル４級アンモニウム塩等の陽イオン界面活性剤を挙げることができる。
【００３０】
本発明で特に好ましい乳化剤は一般式（７）の非イオン界面活性剤である。
【００３１】
Ｒ71−Ｏ−(Ｒ72Ｏ)p−Ｈ      （７）
〔式中、Ｒ71は、炭素数８〜２２、好ましくは１０〜２０の直鎖または分岐鎖のアルキル基またはアルケニル基であり、Ｒ72は炭素数２〜８のアルキレン基であり、好ましくはエチレン基である。また、ｐは平均付加モル数であり０．５〜３０、好ましくは１〜２０、特に好ましくは１〜１０の数である。〕
一般式（７）の化合物の具体例としては以下の化合物（８）、（９）を挙げることができる。
Ｒ73−Ｏ−(Ｃ2Ｈ4Ｏ)r−Ｈ      （８）
〔式中、Ｒ73は炭素数１０〜１８の直鎖または分岐鎖のアルキル基であり、ｒは平均付加モル数であり１〜１０、好ましくは１〜８の数である。〕
Ｒ73−Ｏ−(Ｃ2Ｈ4Ｏ)s−(Ｃ3Ｈ6Ｏ)t−Ｈ      （９）
〔式中、Ｒ73は炭素数１０〜１８の直鎖または分岐鎖のアルキル基であり、ｓ及びｔは平均付加モル数であり、ｓは１〜１０、ｔは１〜１０の数である。エチレンオキシドとプロピレンオキシドは、ランダム付加であり、エチレンオキシドとプロピレンオキシドの付加順序は問わない。〕
さらに、非イオン界面活性剤のアルキル基は、直鎖よりも分岐鎖のものが浸透性の面から好ましい。好ましくは、炭素数１０〜１８の２級アルキル基であり、１級アルコールにエチレンオキシド（以下ＥＯと表記する）を付加した非イオン界面活性剤と併用して用いてもよい。
【００３２】
非イオン界面活性剤のアルキル基は、２級と１級の組み合わせがよく、２級アルキル基を有する化合物／１級アルキル基を有する化合物の配合比率（重量比）は、１／１００〜１０／１、好ましくは１／５０〜５／１が浸透性、安定性の面から望ましい。
【００３３】
本発明の繊維製品の処理に用いる水性組成物中の界面活性剤の配合量は、好ましくは０．００５〜５重量％、より好ましくは０．０１〜４重量％、最も好ましくは０．０５〜３重量％である。
【００３４】
本発明の水性組成物は有効量の有機溶剤を含んでいてもよいが、繊維内に十分に水性組成物を含浸させるために、また安全性の上からも揮発性の高い有機溶剤は少ないほうがよく、１０１３．２５ｈＰａ（＝１ａｔｍ）における沸点が９０℃以下の有機溶剤が好ましい。１０１３．２５ｈＰａ（＝１ａｔｍ）における沸点が９０℃以下の有機溶剤としては、メタノール、エタノール、２−プロパノールなどが挙げられる。有機溶剤の配合量としては、水性組成物中１０重量％以下、好ましくは８重量％以下、特に好ましくは５重量％以下である。なお、本発明では、後述の各香料成分は、有機溶剤として扱わないものとする。
【００３５】
本発明の水性組成物には繊維への浸透性、異臭除去や賦香の目的から香料を配合するのが好ましい。香料は香料成分の１種以上を含有するものである。香料成分としては、「香料の化学」（赤星亮一著、日本化学会編、産業科学シリーズ、第一刷、大日本図書発行）に記載の化合物を用いることができる。本発明では好ましい香りを付与する目的から（ｉ）炭素数１０〜１５のテルペン系アルコール又は炭素数７〜１５の芳香族アルコールの中から選ばれる香料、及び（ii）炭素数８〜１７のギ酸エステル又は酢酸エステル、炭素数１０〜１５の炭化水素及び炭素数７〜１５の芳香族アルデヒドの群から選ばれる少なくとも１種の香料成分を含有する香料が好ましい。（ｉ）の香料成分の具体的に好ましい例としてはゲラニオール、シトロネオール、ジヒドロミルセノール、ターピネオール、フェニルエチルアルコール、ベンジルアルコール、ムゴール、１−メントール、リナロールを挙げることができる。また、（ii）の香料成分の具体的に好ましい例としてはギ酸ゲラニル、ギ酸ベンジル、ギ酸フェニルエチル、酢酸シトロネリル、酢酸ゲラニル、酢酸リナリル、酢酸ボルニル、酢酸テルペニル、酢酸ベンジル、酢酸セドリル、酢酸−ｐ−ｔｅｒｔ−ブチルシクロヘキシル、酢酸−ｏ−ｔｅｒｔ−ブチルシクロヘキシル、α−ピネン、β−ピネン、リモネン、テルピノーレン、ベンズアルデヒド、フェニルアセトアルデヒド、シンナミックアルデヒド、α−ヘキシルシンナミックアルデヒド、シクラメンアルデヒド、リリーアルデヒドを挙げることができる。
【００３６】
本発明で用いる香料は、該香料中に（ｉ）の香料成分を好ましくは１０〜８０重量％、より好ましくは２０〜６０重量％、（ii）の香料成分を好ましくは１〜５０重量％、より好ましくは１〜４０重量％含有する。また、（ｉ）の香料成分と（ii）の香料成分とを１０／１〜１／１０、更に８／２〜２／８の重量比で含有することが好ましい。
【００３７】
本発明ではさらに異臭防止効果の点から１−ヘプタノール、α−メチルヨノン、ｎ−デシルアルデヒド、ｎ−ウンデシルアルデヒド、ｎ−ノニルアルデヒド、アニスアルデヒド、ベンズアルデヒド、酢酸ベンジル、ブチルプロピオネート、セドロール、酢酸セドリル、シンナミックアルコール、酪酸エチル、カプロン酸エチル、エチルイソブチレート、エチルイソバレエート、フェノキシエタノール、プロピオン酸エチル、オイゲノール、ファルネソール、ヘプチルアルデヒド、ヘプチルホルメート、ヘキシルアセテート、ハイドラトロピックアルデヒド、イソボルニルアセテート、イソアミルホルメート、酢酸リナリル、メチルヘプテノン、酢酸パラクレジル、ｐ−メチルアセトフェノン、フェニルアセトアルデヒド、デカノール、ヘリオトロピン、プロピルプロピオネート、酢酸テルピニル、テトラヒドロリナロール、チモール、セドレン、セドレノール、ラバンジュロールから選ばれる香料成分を香料に含有することが良好である。これら香料成分は、香料中に１〜８０重量％、更に１〜５０重量％含有されることが好ましい。
【００３８】
本発明の香料には、保留剤としてベンジルベンゾエート、イソプロピルミリステート、ジプロピレングリコール、トリプロピレングリコールを配合することが好ましく、これらは香料中に１〜５０重量％、更に５〜４０重量％含有されることが好ましい。
【００３９】
香料は水性組成物中０．００２〜５重量％、更に０．００５〜３重量％、特に０．０１〜１重量％含有されるのが好ましい。
【００４０】
本発明の水性組成物には、繊維への浸透性、異臭除去や抗菌の目的から殺菌剤を配合するのが好ましい。殺菌剤としては、木綿金巾＃２００３に該化合物１重量％を均一に付着させた布を用いＪＩＳ  Ｌ  １９０２「繊維製品の抗菌性試験法」で抗菌性試験を行い阻止帯が見られる化合物である。なお、殺菌剤の一部は界面活性剤と重なるが、本発明では下記に具体的に示したものは殺菌剤として扱い、他は界面活性剤として扱う。なお、前記香料成分の中にも殺菌性を有するものがあり、また有機溶剤として挙げたメタノール、エタノール、２−プロパノールは殺菌性を有するが、これらは本発明では殺菌剤として扱わずに、それぞれ香料成分及び有機溶剤として扱うものとする。
【００４１】
このような化合物の好ましいものとしてはトリクロサン、ビス−（２−ピリジルチオ−１−オキシド）亜鉛、２，４，５，６−テトラクロロイソフタロニル、トリクロロカルバニリド、２−（４−チオシアノメチルチオ）ベンズイミダゾール、ポリヘキサメチレンビグアニジン塩酸塩、グルクロン酸クロルヘキシジン、８−オキシキノリン、ポリリジンから選ばれる１種以上が好ましく、特にトリクロサンが異臭の除去効果の点で好ましい。
【００４２】
また、本発明では下記一般式（１０）又は（１１）の４級アンモニウム化合物を使用することも好ましい。
【００４３】
【化６】
0004514983.tif 000007
【００４４】
〔式中Ｒ1a及びＲ1fは炭素数５〜１９、好ましくは７〜１７のアルキル基又はアルケニル基、好ましくはアルキル基であり、Ｒ1c、Ｒ1dは炭素数１〜３のアルキル基又はヒドロキシアルキル基である。Ｔは−ＣＯＯ−、−ＯＣＯ−、−ＣＯＮＨ−、
【００４５】
【化７】
0004514983.tif 000008
【００４６】
あるいは連結手である。Ｒ1bは、炭素数１〜６のアルキレン基又は−(Ｏ−Ｒ1g)n−である。ここでＲ1gはエチレン基もしくはプロピレン基、好ましくはエチレン基であり、ｎは１〜１０、好ましくは１〜５の数である。さらにＺ-は陰イオン基、好ましくはハロゲンイオン、炭素数１〜３のアルキル硫酸イオンである。〕
本発明の最も好ましい４級アンモニウム化合物としては下記のものを挙げることができる。
【００４７】
【化８】
0004514983.tif 000009
【００４８】
殺菌剤は水性組成物中０．０１〜１０重量％、更に０．１〜５重量％、特に１〜５重量％含有されるのが好ましい。
【００４９】
また、本発明の効果を損なわない範囲でその他の成分として、柔軟剤、着色剤、糊料、ｐＨ調整剤または緩衝剤などを含んでもよい。
【００５０】
本発明の水性組成物の残部は水である。水を多く含むことによって、乾燥中に本発明の組成物が一度に揮発することなく、安全で且つ優れた効果を得ることができる。水は、重金属イオンや硬度成分を除去した水が好ましく、イオン交換水や蒸留水が好ましい。
【００５１】
また、本発明の水性組成物のｐＨ（２０℃）は３．０〜９．０、好ましくは５．０〜８．０が望ましい。
【００５２】
本発明の水性組成物は、有効成分を０．０１〜５重量％含有することが特に好ましい。０．０１重量％以上であれば、水性組成物の繊維への浸透性が良く、十分なしわ除去や異臭除去効果が発揮される。また、５重量％以下であれば、好ましい風合いが付与され、着色や輪じみ等の問題も抑えられる。
【００５３】
本発明の水性組成物の最も好ましい態様は、シリコーン化合物０．０１〜５重量％、界面活性剤０〜５重量％、沸点が９０℃以下の有機溶剤０〜５重量％、及び水８５〜９９．９重量％を含有するものである。
【００５４】
本発明の処理方法では、前記水性組成物を繊維製品に対して噴霧するが、噴霧剤を配合しない、いわゆるノンガスタイプの噴霧装置を用いるのが好ましい。噴霧装置は水性組成物を繊維製品にできるだけ広い面積に均一に噴霧できるものがよく、好ましい噴霧器具としてはトリガー式スプレイヤーまたはポンプ式ディスペンサーである。
【００５５】
使いやすさの面からスプレー１回あたりの好ましい噴霧量は０．０１〜３．０ｇ、さらに好ましくは０．０５〜２．０ｇであり、対象物から２０ｃｍ離した距離からスプレーしたときの噴霧面積が約５０ｃｍ2〜約５００ｃｍ2であるトリガー式スプレイヤーまたはポンプ式ディスペンサーを用いるのが望ましい。噴霧量が０．０１ｇ以上であると広い面積を噴霧するのが容易で、また３．０ｇ以下の場合、繊維製品への水性組成物の付着量が適正となり、乾燥時間を短縮でき、また輪ジミも生じない。
【００５６】
また、使用時において、１度の噴霧における霧滴（液滴）の総数のうち、粒子径が１０００μｍを超えるものの数を１％以下、好ましくは５００μｍを超えるものの数を１％以下、さらに好ましくは２００μｍを超えるものの数を１％以下であり、噴霧液滴の少なくとも約５０％の液滴が１００μｍ以下の粒度を有するスプレーを用いると、処理対象となる衣類等の繊維製品に対して本発明の水性組成物を確実かつ均一に付着させることができるため、効果が高く、衣類に輪ジミが残りにくい。なお、このような粒子径分布は、例えば、レーザー回折式粒度分布計（日本電子製）により測定することができる。
【００５７】
また水性組成物を噴霧する前の繊維製品は実質的に乾燥状態にあることが好ましい。水性組成物は、このような実質的に乾燥した繊維製品の重量に対して５〜２００％噴霧するのが望ましい。ここでいう「実質的に乾燥した状態」とは、手で触っても湿り気を感じない状態であり、湿度によって衣類は多少の水分を含んでいる。以下、乾燥に関する部分について詳述する。
【００５８】
水性組成物が噴霧された繊維製品は、回転槽内、例えばドラム式の回転式乾燥機内で乾燥処理を行う。前記水性組成物を噴霧された繊維製品は速やかに、具体的には６０分以内、好ましくは３０分以内に乾燥機内に入れられ、好ましくは５０〜９０℃の間で、１０〜６０分間、好ましくは１５〜４５分間、乾燥処理が行われる。
【００５９】
回転槽の回転速度は衣類の仕上がり性に影響する。一般に回転式乾燥機は、回転し始めてからしばらくすると等速円運動に達する。質点Ｐが原点Ｏを中心とする半径γの円周上を等速円運動する場合、円周上のＰにおける速度ベクトルυは、円周の接線方向であり、その大きさは
υ＝ωγ        ［ω；角速度、γ；半径］
で表わされる。
【００６０】
またωには、
ω＝２π／Ｔ    ［Ｔ；質点Ｐが１回転するのに要する時間］
の関係が成り立つので、以下の式が得られる。
【００６１】
υ＝２πγ／Ｔ
本発明に最適な速度υ（以下、周速度で表す）は、０．１〜１０（ｍ／ｓ）、好ましくは０．２〜６．０（ｍ／ｓ）、さらに好ましくは０．５〜４．０（ｍ／ｓ）である。この範囲において衣類が縮んだりほつれたりすることなく、充分な効果が得られる。
【００６２】
水性組成物を噴霧した繊維製品を回転させつつ乾燥することで、吊り干し等で静置したままで乾燥しても取れないシワを、ほぼ完全に除去でき、また仕上がりもふんわりとした良好な感触が得られる。
【００６３】
本発明に用いられる回転乾燥機としては、家庭用の乾燥機を用いることができる。通常、家庭用回転式乾燥機は、回転槽の回転軸が鉛直方向と直交する方向にあり、種々の設定ができるようになっているが、乾燥温度、回転数及び時間が前記範囲を逸脱しない限り、いずれのコースを用いて乾燥処理を行ってもよい。
【００６４】
本発明の処理方法では、繊維製品を水性組成物で処理した後、可撓性を有し、実質的に通気性を有する容器に収容してから、乾燥工程に供することが最も好ましい。容器は、繊維製品の乾燥機中で溶融しないポリエステル、ポリプロピレン、ナイロンなどから製造される。容器は、通気性を発現するために、網状部材、穿孔シート等により形成される。容器の大きさは、スーツなどが収容可能で、乾燥機内で回転できる程度が望ましい。また、容器の形状は、袋状（封筒状）、球型、円柱型、四角柱型、三角柱型、三角錐型等でもよいが、回転での乾燥に適した袋状、球型、円柱型が好ましい。容器は、繊維製品を出し入れする開口を有する。この開口は、繊維製品の収容後は、チャック、面ファスナー、フック、ボタン、ゴム、ひもなどの適当な手段により封止される。
【００６５】
本発明に用いられる容器は、内部に収容した繊維製品の水分蒸発速度が０分（収容直後）から１０分後の間で０．３０〜０．５０ｇ／ｍｉｎ、更に０．３５〜０．５０ｇ／ｍｉｎ、特に０．４０〜０．５０ｇ／ｍｉｎであることが好ましい。この範囲の水分蒸発速度を有することにより、過剰な水分による衣類の新たなシワの発生が防止でき、また適度な乾燥状態となるので繊維の傷みも少なくなる。この水分蒸発速度は以下の方法で測定されたものである。
〔水分蒸発速度の測定方法〕
（１）綿金巾（２００３布、谷頭商店、５０ｃｍ×５０ｃｍ）４枚を、２０℃、５０％ＲＨの条件で２４時間放置し、秤量する。この値を布重量Ｗ0とする。
（２）布に、スプレーで片面全体に水を吹き付け、布重量を測定する。その際、水付着量の目安は、綿布５ｇとした。この値をＷ1とする。Ｗ0とＷ1から、Ｗ1−Ｗ0により初期の水分付着量Ｗ2が得られる。
（３）容器に綿布を収容し、家庭用回転式衣類乾燥機（松下電器産業株式会社製、ＮＨ−Ｄ４５Ａ）を用い、ヒーター強、標準、２０分コースに設定し、スタートボタンを押してから１０分経過後に停止させる。
（４）停止後、容器から綿布を取り出し、３分以内に重量を測定する。この値をＷ3とすると、このＷ3と布重量Ｗ0から、Ｗ3−Ｗ0により残存水分量Ｗ4が得られる。このＷ4とＷ2とから、以下の式により、布１枚当たりの水分蒸発速度が算出される。綿布４枚の水分蒸発速度の平均値をその容器の水分蒸発速度とする。
【００６６】
水分蒸発速度（ｇ／ｍｉｎ）＝（Ｗ2−Ｗ4）／１０
本発明に用いられる容器は、目付が６０〜６００ｇ／ｍ2、更に６０〜４００ｇ／ｍ2、特に１００〜２００ｇ／ｍ2であることが好ましい。糸密度が（縦６本×横６本）／ｃｍ2〜（縦５０本×横５０本）／ｃｍ2であることが好ましい。目付と糸密度は、上記の水分蒸発速度を達成できる範囲が好ましい。
【００６７】
本発明によれば、前記本発明の水性組成物を噴霧装置を備えた容器に充填した物品と、前記容器、好ましくは袋状部材との組み合わせたキットとして新しく提案することもできる。
【００６８】
本発明では、前記本発明の水性組成物を噴霧装置付き容器に充填した物品と、繊維製品を収容するための可撓性を有し実質的に通気性を有する容器、好ましくは袋状部材とからなる、回転式乾燥機を用いて繊維製品の処理に用いられるキットとすることにより、利用者の利便性を向上できる。
【００６９】
本発明の処理方法は、特に綿、麻、ウールなどからなる衣類に対して高い効果を示し、例えばスーツ、スラックス、ジャケット等の衣類に噴霧して使用するのが望ましい。
【００７０】
【発明の効果】
本発明では、シリコーン化合物を含有する水性組成物を繊維製品に噴霧した後、回転槽内で加熱乾燥処理することによって、繊維製品の風合いが回復し、更にはしわ除去や匂い除去の効果が得られる。
【００７１】
【実施例】
実施例１
表１〜３に示す組成の水性組成物を調製して、衣類の風合い、しわ取り性、匂い除去性を評価した。また匂いについても評価した。評価法を以下に示す。
【００７２】
スーツ生地（市販品、毛１００％）及び木綿ブロード＃６０（染色試材（株）谷頭商店）からなる試験布２０ｃｍ×１０ｃｍにイオン交換水をスプレー噴霧して湿潤させた後、試験布を２つ折りにして、１５０℃に設定したアイロンで折り目部分を９０秒押さえてしわをつけ、これをしわ取り評価のモデルじわとした。
【００７３】
モデルタバコ臭として、各布片（１０ｃｍ×１０ｃｍ）を、喫煙所に１日放置したものを試験布として供した。
【００７４】
これらモデルじわのついた試験布及びモデルタバコ臭のついた試験布に対し、試験布乾燥時重量に対して５０重量％の処理剤組成物をスプレー容器（キャニヨン製、Ｔ−７５００）で噴霧した後、家庭用回転式衣類乾燥機（松下電器産業株式会社製、ＮＨ−Ｄ４５Ａ）で２０分間乾燥した。乾燥終了後、室温に１時間放置した後、試験布のしわの取れ具合や風合い、匂いを判定した。
【００７５】
また、静置乾燥として、６５℃で恒温化した恒温乾燥機（ヤマト化学株式会社、ＤＮ８１０）中に前記の通り、スプレー噴霧した各試験布を２０分間入れて乾燥した。乾燥機から取り出し室温に１時間放置した後、試験布のしわの取れ具合や風合い、匂いを判定した。
【００７６】
評価は５名のパネラーによって乾燥機で処理した布と、処理前の布（対照）とを、以下の基準で採点してもらい、その平均値を求めて評価点とした。結果を表１〜３に示す。
【００７７】
また、各試験布をそのまま家庭用回転式衣類乾燥機（松下電器産業株式会社製、ＮＨ−Ｄ４５Ａ）で２０分間乾燥したものと、６５℃で恒温化した恒温乾燥機（ヤマト化学株式会社、ＤＮ８１０）中に各試験布を２０分間入れて乾燥したものを、乾燥機から取り出し室温に１時間放置した後、試験布のしわの取れ具合や風合い、匂いを判定した。評価は５名のパネラーによって以下の基準で採点してもらい、その平均値を求めて評価点とした。結果を表４に示す。
【００７８】
＜しわ判定基準＞
５：全くしわがない
４：ほとんどしわがない
３：僅かにしわが残っている
２：相当しわが残っている
１：著しくしわが残っている。
【００７９】
＜風合い判定基準＞
５：対照よりもふっくらしている
４：対照よりも少しふっくらしている
３：対照と風合いが同等
２：対照の方が少しふっくらしている
１：対照の方がふっくらしている。
【００８０】
＜匂い判定基準＞
５：無臭
４：匂いの区別はできないが、かすかに感じる強さ
３：何の匂いかわかるが、弱い匂い
２：明らかに感じる匂い
１：強い匂い。
【００８１】
【表１】
0004514983.tif 000010
【００８２】
（注）
・シリコーン化合物（１）：ＡＢＮ  ＳＩＬＷＥＴ  ＦＺ−２２０３（日本ユニカー株式会社製、ジメチルポリシロキサンとポリアルキレンオキサイドの共重合体）
・シリコーン化合物（２）：ＡＢＮ  ＳＩＬＷＥＴ  ＦＺ−２２１１（日本ユニカー株式会社製、ジメチルポリシロキサンとポリアルキレンオキサイドの共重合体）
・非イオン界面活性剤（１）：炭素数１０〜１４の直鎖第１級アルコールにＥＯを平均４モル付加したもの
・非イオン界面活性剤（２）：炭素数１０〜１４の直鎖第１級アルコールにＥＯを平均６モル付加したもの
・非イオン界面活性剤（３）：炭素数１２〜１４の直鎖第２級アルコールにＥＯを平均３モル付加したもの
・非イオン界面活性剤（４）：炭素数１２〜１４の直鎖第２級アルコールにＥＯを平均５モル付加したもの
【００８３】
【表２】
0004514983.tif 000011
【００８４】
（注）
・シリコーン化合物（３）：ＢＹ１６−９０６（東レ・ダウ・コーニング・シリコーン株式会社製、アミド・ポリエーテル変性シリコーン）
・シリコーン化合物（４）：ビスアミノヒドロキシプロピルコポリオールジメチコーン（Ｗｌｔｃｏ社製、変性シリコーン）
・ＥＳ：ポリオキシエチレンアルキルエーテル硫酸ナトリウム（アルキル基炭素数平均１２、ＥＯ平均付加モル数４）
【００８５】
【表３】
0004514983.tif 000012
【００８６】
・シリコーン化合物（５）：ＳＦ８４１８（東レ・ダウ・コーニング・シリコーン株式会社製、カルボキシ変性シリコーン）
・シリコーン化合物（６）：ＴＳＦ４７７０（ジーイー東芝シリコーン株式会社製、カルボキシ変性シリコーン）
【００８７】
【表４】
0004514983.tif 000013
【００８８】
実施例２
表５に示す組成の水性組成物を調製して、衣類の風合い、しわ取り性、匂い除去性を実施例１と同様に評価した。ただし、試験布は、表６に示すネット又は袋に収容して乾燥機に投入した。水性組成物とネット等の組み合わせと、評価結果は表７、８に示した。なお、匂いの評価は、モデルタバコ臭に代えて、モデル汗臭として、各布片（１０ｃｍ×１０ｃｍ）に、イソ吉草酸０．０００２重量％、酢酸０．０００６重量％、３−メチル−２−ヘキサン酸０．０００２重量％、エタノール９９．９９９０重量％からなるエタノール溶液を０．６ｇ噴霧したものを用いた。
【００８９】
【表５】
0004514983.tif 000014
【００９０】
（注）
・香料：組成は、α−ピネン５重量％、セドレン１６重量％、セドロール３重量％、セドレノール１重量％、ジヒドロミルセノール１０重量％、オイゲノール５重量％、ラバンジュロール１５重量％、リモネン２５重量％、フェニルエチルアルコール１０重量％、ジプロピレングリコール１０重量％（合計１００重量％）である。
・殺菌剤：ラウリルベンジルジメチルアンモニウムクロライド
【００９１】
【表６】
0004514983.tif 000015
【００９２】
【表７】
0004514983.tif 000016
【００９３】
【表８】
0004514983.tif 000017